(57)【要約】【課題】本発明は、スライディングパンツとして、パンツ素材の内側にテーピング機能を有する素材を取り付けて、テーピング機能を要求する関節、筋肉或いはじん帯等の部位にテーピングを施すものであって、上記部位には緊締力を強くし、圧迫に適しない部位には緊締力を弱くして、傷害の予防と治療に好適となるスライディングパンツを提供することを目的とする。【解決手段】野球用スライディングパンツであって、伸縮性を有する生地からなるパンツ本体を備え、着用者の大腿部を保護するための保護部材が該パンツ本体の内側に一体に取り付けられたスライディングパンツにおいて、該保護部材が該パンツ本体よりも伸縮性が劣る生地からなるテープ部材と、該テープ部材の該パンツ本体側に一体に設けられたクッション材とからなる２層構造からなる。【選択図】図５
2007291553.tif 000002
【特許請求の範囲】
【請求項１】
野球用スライディングパンツであって、伸縮性を有する生地からなるパンツ本体を備え、着用者の大腿部を保護するための保護部材が該パンツ本体の内側に一体に取り付けられたスライディングパンツにおいて、該保護部材が該パンツ本体よりも伸縮性が劣る生地からなるテープ部材と、該テープ部材の該パンツ本体側に一体に設けられたクッション材とからなる２層構造からなることを特徴とするスライディングパンツ。
【請求項２】
請求項１記載のスライディングパンツにおいて、着用者の臀部を保護するパット部材がパンツ本体の外側に一体に取り付けられたことを特徴とするスライディングパンツ。
【請求項３】
請求項１または２記載のスライディングパンツにおいて、該テープ部材は、主として大腿直筋、大腿二頭筋及び中小臀筋をそれぞれ保護するための大腿直筋用テープ、大腿二頭筋用テープ及び中小臀筋用テープを備えることを特徴とするスライディングパンツ。
【請求項４】
請求項３記載のスライディングパンツにおいて、該テープ部材は、主として大腿直筋の内側に位置する内側広筋、大腿直筋の外側に位置する外側広筋、大内転筋、長内転筋をそれぞれ保護するための内側広筋用テープ、外側広筋用テープ、大内転筋用テープ、長内転筋用テープを備えることを特徴とするスライディングパンツ。
【請求項５】
請求項２ないし４のいずれか１つに記載のスライディングパンツにおいて、該大腿直筋用テープ、該大腿二頭筋用テープ及び該中小臀筋用テープが、パンツ本体の腰部から膝部まで伸びた長片テープとして設けられていることを特徴とするスライディングパンツ。
【請求項６】
請求項１ないし５のいずれか１つに記載のスライディングパンツにおいて、該テープ部材の厚さが０．５ｍｍから３．０ｍｍであって、該クッション材の厚さが０．５ｍｍから３．０ｍｍであることを特徴とするスライディングパンツ。
【請求項７】
請求項１ないし６のいずれか１つに記載のスライディングパンツにおいて、該保護部材の幅が３ｃｍ〜８ｃｍであることを特徴とするスライディングパンツ。
【請求項８】
請求項３ないし７のいずれか１つに記載のスライディングパンツにおいて、該大腿直筋用テープ、該内側広筋用テープ及び該外側広筋用テープは、それぞれ該スライディングパンツの該パンツ本体の該腰部から該膝部まで伸びた長片テープとして設けられ、該大腿直筋用テープ及び該内側広筋用テープの下端部が一部重なって設けられ、該大腿直筋用テープ及び該外側広筋用テープの上端部が一部重なって設けられていることを特徴とするスライディングパンツ。
【請求項９】
請求項３ないし８のいずれか１つに記載のスライディングパンツにおいて、該大腿二頭筋用テープ、該中小臀筋用テープ及び該長内転筋用テープは、それぞれ該スライディングパンツの該パンツ本体の該腰部から該膝部まで伸びた長片テープとして設けられ、該大腿二頭筋用テープ、該中小臀筋用テープ及び該長内転筋用テープの上端部が一部重なって設けられていることを特徴とするスライディングパンツ。
【請求項１０】
請求項８または９記載のスライディングパンツにおいて、上記長片テープが重なる部分に対しては、テープ部材は重なって設けられ、該重なった部分のクッション材は他方が除去されて、この部分の該クッション材は１重に形成されていることを特徴とするスライディングパンツ。
【請求項１１】
請求項８ないし１０のいずれか１つに記載のスライディングパンツにおいて、上記長片テープが重なる部分に対しては、テープ部材及びクッション材とも１重となるように一体に設けられていることを特徴とするスライディングパンツ。
【請求項１２】
請求項２ないし１１のいずれか１つに記載のスライディングパンツにおいて、該クッション材と上記パット部材とは同じ材料からなることを特徴とするスライディングパンツ。
【発明の詳細な説明】
【技術分野】
【０００１】
本発明は、主に野球競技に用いられるスライディングパンツに関し、臀部全体から大腿部外側をスライディング時の摩擦から有効に保護するとともに、大腿部の筋肉保護機能を有するスライディングパンツに関する。
【背景技術】
【０００２】
主に野球競技に用いられているスライディングパンツは、外衣であるユニフォームパンツの内側に着用するものであって、従来はスライディング時の衝撃吸収或いはユニフォームパンツ破損時における下腿の皮膚損傷防止を目的としたものであり、例えば、スライディングパンツ生地の大腿部外側位置に、ポリウレタンフォーム、または綿入りキルティング生地を縫着したものや、又は大腿部位置に対応する部分にキルティング生地を配置してスライディングパンツ本体の生地と縫合して一体としたものが知られている（特許文献１）。
【０００３】
また、競技中の運動機能を阻害しないように、スライディングパンツ本体を伸縮性を有する生地で形成する技術も提案されている（特許文献１）。
【０００４】
更に、各種のスポーツやトレーニング或いはフィットネス等の諸運動を行う際、外傷の予防や怪我再発防止等の目的のために適するウェアを着用する他、傷害の予防と治療に有効な手段として、人体の関節、筋肉或いは靭帯等に伸縮性または非伸縮性の帯状テープ片を人体に対し垂直方向に捲締し若しくは緊締状態に貼着する所謂テーピング処置が普及している。即ち傷害を未然に防止したり、疲労からくる怪我の予防や再発防止、或いは受傷直後の現場で応急処置を行う際の応急処置の手段として使用され、治癒後は傷害部位を補強、強化の手段として供されている。
【０００５】
しかし、テーピングを人体の必要部位に施す場合、テーピング技術に熟練度が要求され、不適切な部位へのテーピング、未熟で不十分なテーピング等、その用いる方法を誤まると、傷害の予防と治療と云う目的を達成できないのみならず、諸運動に不具合が生じ、血行傷害や神経傷害が起り易く、また筋肉に悪影響を生起されるものとなり、従ってテーピング技術を専門的に習得した者がテーピングを施す必要があり、素人が簡単に実施出来ないものであった。
【０００６】
そのために、スライディングパンツ自体に、上記のようなテーピング機能をも持たせるために、スライディングパンツの大腿部等に対応する部分にテーピング機能を有する素材を縫い合わせてスライディングパンツとするものが知られている（特許文献２）。
【特許文献１】特許３６１０１６９号公報
【特許文献２】特開２００4−００８２４９号公報
【発明の開示】
【発明が解決しようとする課題】
【０００７】
ところが、特許文献２に示すものでは、テーピング機能を付与した生地を部分的に設けたスライディングパンツを用いる場合、テーピング処置に熟練度を要求されることなく、初心者でもその着装は頗る簡単であるが、要求される充分な保護機能が得られず、必然的に緊締力不足に伴うサポート力の弱化を奏するものであった。
【０００８】
特に、テーピング機能を有する素材を所定部位にして、パンツ本体の素材と縫い合わせただけであり、パンツ本体の素材の伸縮性で押しつけるだけであり、テーピング機能を要求する関節、筋肉或いはじん帯等の部位の緊締力が十分ではなかった。
【０００９】
本発明は、スライディングパンツとして、パンツ素材の内側にテーピング機能を有する素材を取り付けて、テーピング機能を要求する関節、筋肉或いはじん帯等の部位にテーピングを施すものであって、上記部位には緊締力を強くし、圧迫に適しない部位には緊締力を弱くして、傷害の予防と治療に好適となるスライディングパンツを提供することを目的とする。
【００１０】
更にはストレッチ効果やマッサージ効果が得られ、諸運動時にも運動性を阻害せぬ人体の体表面に圧接して着用されるテーピング機能を有するスライディングパンツを提供することを目的とする。
【課題を解決するための手段】
【００１１】
具体的には、請求項１の発明は、野球用スライディングパンツであって、伸縮性を有する生地からなるパンツ本体を備え、着用者の大腿部を保護するための保護部材が該パンツ本体の内側に一体に取り付けられたスライディングパンツにおいて、該保護部材が該パンツ本体よりも伸縮性が劣る生地からなるテープ部材と、該テープ部材の該パンツ本体側に一体に設けられたクッション材とからなる２層構造からなる構成である。
【００１２】
請求項２の発明は、請求項１記載のスライディングパンツにおいて、着用者の臀部を保護するパット部材がパンツ本体の外側に一体に取り付けられた構成である。
【００１３】
請求項３の発明は、請求項１または２記載のスライディングパンツにおいて、該テープ部材は、主として大腿直筋、大腿二頭筋及び中小臀筋をそれぞれ保護するための大腿直筋用テープ、大腿二頭筋用テープ及び中小臀筋用テープを備える構成である。
【００１４】
請求項４の発明は、請求項３記載のスライディングパンツにおいて、該テープ部材は、主として大腿直筋の内側に位置する内側広筋、大腿直筋の外側に位置する外側広筋、大内転筋、長内転筋をそれぞれ保護するための内側広筋用テープ、外側広筋用テープ、大内転筋用テープ、長内転筋用テープを備える構成である。
【００１５】
請求項５の発明は、請求項２ないし４のいずれか１つに記載のスライディングパンツにおいて、該大腿直筋用テープ、該大腿二頭筋用テープ及び該中小臀筋用テープが、パンツ本体の腰部から膝部まで伸びた長片テープとして設けられている構成である。
【００１６】
請求項６の発明は、請求項１ないし５のいずれかに１つに記載のスライディングパンツにおいて、該テープ部材の厚さが０．５ｍｍから３．０ｍｍであって、該クッション材の厚さが０．５ｍｍから３．０ｍｍである構成である。
【００１７】
請求項７の発明は、請求項１ないし６のいずれかに１つに記載のスライディングパンツにおいて、該保護部材の幅が３ｃｍ〜８ｃｍである構成である。
【００１８】
請求項８の発明は、請求項３ないし７のいずれか１つに記載のスライディングパンツにおいて、該大腿直筋用テープ、該内側広筋用テープ及び該外側広筋用テープは、それぞれ該スライディングパンツの該パンツ本体の該腰部から該膝部まで伸びた長片テープとして設けられ、該大腿直筋用テープ及び該内側広筋用テープの下端部が一部重なって設けられ、該大腿直筋用テープ及び該外側広筋用テープの上端部が一部重なって設けられている構成である。
【００１９】
請求項９の発明は、請求項３ないし８のいずれか１つに記載のスライディングパンツにおいて、該大腿二頭筋用テープ、該中小臀筋用テープ及び該長内転筋用テープは、それぞれ該スライディングパンツの該パンツ本体の該腰部から該膝部まで伸びた長片テープとして設けられ、該大腿二頭筋用テープ、該中小臀筋用テープ及び該長内転筋用テープの上端部が一部重なって設けられている構成である。
【００２０】
請求項１０の発明は、請求項８または９記載のスライディングパンツにおいて、上記長片テープが重なる部分に対しては、テープ部材は重なって設けられ、該重なった部分のクッション材は他方が除去されて、この部分の該クッション材は１重に形成されている構成である。
【００２１】
請求項１１の発明は、請求項８ないし１０のいずれか１つに記載のスライディングパンツにおいて、上記長片テープが重なる部分に対しては、テープ部材及びクッション材とも１重となるように一体に設けられている構成である。
【００２２】
請求項１２の発明は、請求項２ないし１１のいずれか１つに記載のスライディングパンツにおいて、該クッション材と上記パット部材とは同じ材料からなる構成である。
【発明の効果】
【００２３】
請求項１の発明によれば、保護部材がクッション材とテープ部材からなり、これらのクッション材とテープ部材とを強く着用者に押しつけることができるので、テーピング機能を要求する関節、筋肉或いはじん帯等の部位には緊締力を強くでき、且つ圧迫に適しない部位には緊締力を弱くでき、傷害の予防と治療に優れた機能を発揮する。
【００２４】
更には、保護部材のクッション材が衝撃吸収するので、保護を必要とする部位の保護機能に優れる。また、保護部材のクッション材は汗の吸収機能も併せて有するので、着用時の不快感を防止できる。
【００２５】
請求項２の発明によれば、スライディング時の臀部保護機能にも優れる。
【００２６】
請求項３の発明によれば、主要な筋肉を保護するので、筋肉やじん帯等の保護性に優れる。
【００２７】
請求項４の発明によれば、さらに多くの筋肉やじん帯等を保護するので、筋肉の保護性に優れる。
【００２８】
請求項５の発明によれば、腰部から膝部まで伸びた長片テープで主要な筋肉やじん帯等を保護するので、保護機能に優れる。
【００２９】
請求項６の発明によれば、テープ部材とクッション部材を最適な厚さとすることができる。
【００３０】
請求項７の発明によれば、必要な筋肉部分を保護できる最適な幅を有するので、確実に筋肉やじん帯等を保護できる。
【００３１】
請求項８の発明によれば、保護を必要とする筋肉やじん帯に対してテープ部材は重なって設けられるので、これらの保護を必要とする筋肉やじん帯等を確実に保護できる。
【００３２】
請求項９の発明によれば、保護を必要とする筋肉やじん帯に対してテープ部材は重なって設けられるので、これらの保護を必要とする筋肉やじん帯等を確実に保護できる。
【００３３】
請求項１０の発明によれば、保護を必要とする筋肉やじん帯に対してテープ部材は重なって設けられるので、これらの保護を必要とする筋肉やじん帯等を確実に保護できるとともに、クッション部材の重なりをなくすことによって、保護部材の厚さを少なくできるので、着用時にも段差や稜線が目立たないようにできる。また、着用者の着用時の違和感や抵抗感を低減できる。
【００３４】
請求項１１の発明によれば、クッション部材及びテープ部材の重なりをなくすことによって、保護部材の厚さを少なくできるので、着用時にも段差や稜線が目立たないようにできる。また、着用者の着用時の違和感や抵抗感を低減できる。
【００３５】
請求項１２の発明によれば、素材を共用化することでコスト低減できる。
【発明を実施するための最良の形態】
【００３６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３７】
本発明の実施形態について、図１ないし図７に基づいて説明する。図１は大腿部の筋肉を前方から見たものを右半身（図面左側）に示し、同大腿部の筋肉に対して本発明の保護部材を配置した場合を左半身（図面右側）に示す。図２は大腿部の筋肉を後方から見たものを右半身（図面左側）に示し、同大腿部の筋肉に対して本発明の保護部材を配置した場合を左半身（図面右側）に示す。図３は、右の大腿部を斜め前方の外側から見た場合の一部の筋肉を示す。図４は右の大腿部を内側から見た図を示す。図５は本実施形態に係わるスライディングパンツの正面図で、図面上で左半分はスライディングパンツ内側の保護部材の位置を示し、図面上で右半分はスライディングパンツ外側のパッド部材の位置を示す。図６は本実施形態に係わるスライディングパンツの後面図で、図面上で右半分はスライディングパンツ内側の保護部材の位置を示し、図面上で左半分はスライディングパンツ外側のパッド部材の位置を示す。図７は保護部材の斜視図を示す。
【００３８】
図１において、大腿直筋３１が骨盤５０の側下方にある下前腸骨棘５１から、大転子５９を通って大腿骨の内側顆５３の外側、膝蓋骨５５を超えて膝部６０の下まで伸びるライン上にあり、大腿直筋３１の内側に内側広筋３２があり、大腿直筋３１の外側に外側広筋３３がある。大内転筋３６、長内転筋３７、薄筋３８が、骨盤５０の中央の恥骨６１に向かって伸びている。外側広筋３３の上方位置にある大腿筋膜張筋３９が外側に回っている。大腿直筋３１の上方位置にある縫工筋４０が内側に回っている。４１は鼡径靭帯を示す。
【００３９】
スライディングパンツ１の前側の保護部材１０としては、大腿直筋用テープ１３ａが、主として大腿直筋３１、下前腸骨棘５１から大腿骨の内側顆５２の外側、膝蓋骨５３を超えて膝部５４の下まで伸びるライン上に位置して設けられる。内側広筋用テープ１３ｂが主として内側広筋３２を当てがうように、外側広筋用テープ１３ｃが主として外側広筋３３や腸脛靭帯４９を当てがうように、大内転筋用テープ１３ｄが主として大内転筋３４、坐骨結節５７を当てがうように設けられる。
【００４０】
図２に示すように、大腿部の後側は、大腿二頭筋４２が恥骨６１から膝部６０まで伸びている。なお、４２ａが大腿二頭筋４２の長頭、４２ｂが大腿二頭筋４２の短頭を示す。大腿二頭筋４２の長頭４２ａの内側には、半腱様筋４３があり、半腱様筋４３の両側に半膜様筋４４がある。５６は腱画を示す。７１は坐骨神経、７２は総腓骨神経、７３は脛骨神経を示す。
【００４１】
スライディングパンツの後側の保護部材１０としては、図２に示すように、大腿二頭筋用テープ１４ａが主として大腿二頭筋４２、半腱様筋４３及び半膜様筋４４の筋肉、及び坐骨結節５７、腓骨頭等に当てがうように設けられる。中小臀筋用テープ１４ｂは主として大臀筋４５の外側の中小臀筋４５ａ、大腿筋膜張筋３９、上前腸骨棘５２の外側、大転子５９を当てがうように設けられる。また、長内転筋用テープ１４ｃは、図１及び図４に示す長内転筋３７、図１及び図２に示す恥骨６１に至る部分を保護するために、大腿部の前側下端から恥骨６１にまで伸びて、後側で腰部まで伸びて設けられる。
【００４２】
図３に示すように、腸脛靭帯４９が脛骨の外側顆５４から上方まで伸びており、大腿筋膜張筋３９は上前腸骨棘５２から腸脛靭帯４９に伸びている。
【００４３】
図４に示すように、臀部に対応する部分に大臀筋４５があり、大臀筋４５の上前側に内閉鎖筋４６、梨状筋４７がある。膝部６０の後側には、腓腹筋４８ある。
【００４４】
保護部材１０としては、図７に示すように、テープ部材１１とクッション材１２を積層した２重構造である。パンツ本体２は、スパッツなどの伸縮性に優れた素材からなり、ポリエステル材などが使われる。テープ部材１１としては、パンツ本体２に比較して伸縮性が劣る、或いは殆ど伸縮性が無い帯状テープ片であって、綿とポリエステル等を原材料とし、裏面にゴムまたはアクリル樹脂系の接着剤を塗布した医療、スポーツ用の接着テープ等が使用される。クッション材１２としては、キルティング材等が使われる。
【００４５】
テープ部材１１の厚さＴ１は、０．５ｍｍよりも薄すぎるとテーピング機能が発揮できず、３．０ｍｍよりも厚すぎても機能上では差異が無く実用的でないので、０．５ｍｍ〜３．０ｍｍの範囲とすることが好ましく、特に１．０ｍｍ〜２．０ｍｍが好ましい。クッション材１２の厚さＴ２は、０．５ｍｍよりも薄すぎるとクッション機能が発揮できず、３．０ｍｍ以上にすると、テープ部材を押付ける機能が悪化するので、０．５ｍｍ〜３．０ｍｍの簡易、特に１．０ｍｍ〜２．０ｍｍとすることが好ましい。保護部材１０の幅Ｈは、３ｃｍ〜８ｃｍで、使用する部位に応じて適正な大きさのものを選定する。
【００４６】
次に、上記のようなテープ１３ａ、１３ｂ、１３ｃ、１３ｄ、１４ａ、１４ｂ及び１４ｃを具体的にスライディングパンツ１に取り付けたものを図５及び図６に基づいて説明する。
【００４７】
大腿直筋用テープ１３ａが、主として大腿直筋３１に当てがわれる位置に配置されて、スライディングパンツ１のパンツ本体２の腰部３から膝部５まで伸びた長片テープとして設けられている。内側広筋用テープ１３ｂが、主として内側広筋３２に当てがわれる位置に配置されて、スライディングパンツ１のパンツ本体２の腰部３から膝部５まで伸びた長片テープとして設けられている。外側広筋用テープ１３ｃは、主として外側広筋３３に当てがわれる位置に配置されて、スライディングパンツ１のパンツ本体２の腰部３から膝部５まで伸びた長片テープとして設けられている。大腿直筋用テープ１３ａの上端部と外側広筋用テープ１３ｃの上端部の一部が重なって設けられ、大腿直筋用テープ１３ａの下端部と内側広筋用テープ１３ｂの下端部の一部が重なって設けられている。また、大内転筋用テープ１３ｄは、その下端部が大腿直筋用テープ１３ａの下端部と一部重なって、内股方向に伸びて恥骨６１近辺まで伸びて設けられている。長内転筋用テープ１４ｃの下端部が前側に回り込んで、スライディングパンツ１のパンツ本体２の膝部５に縫い合わされている。
【００４８】
スライディングパンツ１のパンツ本体２の腰部３は、重ね縫いされ強化されている。この強化された部分３ａに、大腿直筋用テープ１３ａの上端部、外側広筋用テープ１３ｃの上端部、内側広筋用テープ１３ｂの上端部が縫い合わされている。また、スライディングパンツ１のパンツ本体２の膝部５は、重ね縫いされ強化されている。この強化された部分５ａに、大腿直筋用テープ１３ａの下端部、外側広筋用テープ１３ｃの下端部、内側広筋用テープ１３ｂの下端部及び大内転筋用テープ１３ｄの下端部が縫い合わされている。上記の腰部縫い合わせ部分３ａや膝部縫い合わせ部分５ａに大腿直筋用テープ１３ａ、外側広筋用テープ１３ｃ及び内側広筋用テープ１３ｂが縫い合わされているので、十分な強度を有し、筋肉や靭帯等の必要とする部位にテーピングしたと同様な押し当てを得ることができる。
【００４９】
なお、大腿二頭筋用テープ１４ａ、中小臀筋用テープ１４ｂ及び長内転筋用テープ１４ｃの上端部は、図６に示すように、スライディングパンツ１のパンツ本体２の腰部３の縫い合わせ部分３ａに重なって縫い合わされ強化されている。大腿二頭筋用テープ１４ａ及び中小臀筋用テープ１４ｂの下端部は、スライディングパンツ１のパンツ本体２の膝部５の縫い合わせ部分５ａに縫い合わされて、強化されている。なお、パッド部材２０は、キルティング材等からなり、パンツ本体２の外側に縫い合わされている。このパッド部材２０は、スライディング時の臀部の横を保護する用に、両側に設けたが、臀部も含めて覆うように両側を一体にした大きなパッド部材としてもよい。
【００５０】
実施形態では、各テープ１３ａ、１３ｂ、１３ｃ、１３ｄ、１４ａ、１４ｂ及び１４ｃの重なり部分を、図８（ａ）に示すように、テープ部材のみ重ねて、クッション材は重ならないようにしたが、図８（ｂ）に示すように、テープ部材もクッション材も一重になるようにしても良い。その場合には、重なり部分を有するテープ部材は一体に形成するようにした方が、強度上で好ましい。
【００５１】
また、場所によっては、図８（ｃ）に示すように、テープ部材及びクッション部材からなる保護部材が、そのまま重なって縫い合わせるようにしても良い。これら、図８（ａ），図８（ｂ）及び図８（ｃ）の構造は、すべてどれかの構造にするのではなく、これらを組み合わせて使用するようにしても良い。
【００５２】
なお、図９に示すように、腰部３の縫い合わせ部分３ａには、ひも４を通すようにしても良い。また、膝部５にもひもを通すようにしても良い。また、これらの部分３ａ、５ａにはゴムなどを通しても良い。
【産業上の利用可能性】
【００５３】
本発明は人体の大腿部の体表面における筋肉、靭帯、関節等の適所を補強するために、対応する体表面に密着してテーピング機能を有する保護部材をスライディングパンツの内側に有するものに適用される。
【図面の簡単な説明】
【００５４】
【図１】本発明の実施形態に係わり、大腿部の筋肉を前方から見たものを右半身（図面左側）に示し、同大腿部の筋肉に対して本発明の保護部材の位置を図面右側に示す。
【図２】本発明の実施形態に係わり、大腿部の筋肉を後方から見たものを右半身（図面左側）に示し、同大腿部の筋肉に対して本発明の保護部材の位置を図面右側に示す。
【図３】大腿部を斜め前方の外側から見た場合の一部の筋肉を示す。
【図４】右の大腿部を内側から見た図を示す。
【図５】本実施形態に係わるスライディングパンツの正面図を示す。
【図６】本実施形態に係わるスライディングパンツの後面図を示す。
【図７】本実施形態に係わる保護部材の斜視図を示す。
【図８】保護部材の断面図の例を示す。
【図９】スライディングパンツの一部を示す。
【符号の説明】
【００５５】
１      野球用スライディングパンツ
２      パンツ本体
２０    パット部材
１０    保護部材
１１    テープ部材
１２    クッション材
１３ａ  大腿直筋用テープ
１３ｂ  内側広筋用テープ
１３ｃ  外側広筋用テープ
１３ｄ  大内転筋用テープ
１４ａ  大腿二頭筋用テープ
１４ｂ  中小臀筋用テープ
１４ｃ  長内転筋用テープ
【図１】
2007291553.tif 000003
【図２】
2007291553.tif 000004
【図３】
2007291553.tif 000005
【図４】
2007291553.tif 000006
【図５】
2007291553.tif 000007
【図６】
2007291553.tif 000008
【図７】
2007291553.tif 000009
【図８】
2007291553.tif 000010
【図９】
2007291553.tif 000011